(57)【要約】 【課題】  狭い設置スペースにおいても墓誌の設置を可能にする墓石を提供することを目的とする。【解決手段】  墓石１０の台部１１のうちカロート１４の前面壁に重ね合わせるように、３枚の墓誌板２４Ａ，２４Ｂ，２４Ｃが配設されている。また、カロート１４における上下の壁面の周縁部は、側壁からそれぞれ水平方向へ張り出すようにしてあり、上部支持壁２０および下部支持壁２１としてある。墓誌板２４はこれら支持壁に形成された溝部２５，２６内にその端縁部が収容されることにより、前方側への倒れ規制がなされている。【選択図】  図１
2006022507.tif 000002
【特許請求の範囲】
【請求項１】
竿石を支持する台部内に骨壺を収容する収容室を備えてなる墓石であって、
前記台部の外壁面に墓誌板を配設したことを特徴とする墓石。
【請求項２】
前記墓誌板は前記台部から取り外し可能とされていることを特徴とする請求項１に記載の墓石。
【請求項３】
前記墓誌板は複数に分割可能とされて前記台部から個別に取り外し可能とされていることを特徴とする請求項１または請求項２に記載の墓石。
【請求項４】
前記台部には、前記収容室へ骨壺を収容するための収容開口が形成されており、前記墓誌板は前記収容開口の前面側に配設されることを特徴とする請求項１ないし請求項３のいずれかに記載の墓石。
【請求項５】
前記台部のうち前記収容開口を挟んだ上下側には前方へ張り出す支持壁が形成されており、該支持壁の少なくともいずれか一方には、前記墓誌板の上縁あるいは／および下縁を前記台部から解離可能に係止させて倒れ規制を行うための引っ掛け部が形成されていることを特徴とする請求項４に記載の墓石。
【発明の詳細な説明】
【技術分野】
【０００１】
本発明は、その一部を墓誌板とした墓石に関する。
【背景技術】
【０００２】
墓石は、その内部に形成された納骨室内に故人の骨壺を収容し、故人を慰霊・供養するためのものであるが、墓石内に複数の骨壺を納骨する場合には、しばしば墓石に隣接して、墓石内に納骨された故人の戒名・俗名・死亡年月日・行年などの情報を刻銘するための墓誌を設置することが行われている。
【発明の開示】
【発明が解決しようとする課題】
【０００３】
しかしながら、墓の敷地の広さが充分でない場合等、墓石と墓誌とを別個に設置するにはスペース上の制約を受け、墓誌の設置を断念せざるを得ないことがあった。
【０００４】
本発明は上記事情に鑑みてなされたものであり、その目的は狭い設置スペースにおいても墓誌の設置を可能にする墓石を提供することである。
【課題を解決するための手段】
【０００５】
上記の目的を達成するための手段として、請求項１の発明は、竿石を支持する台部内に骨壺を収容する収容室を備えてなる墓石であって、前記台部の外壁面に墓誌板を配設したことを特徴とするものである。
【０００６】
請求項２の発明は、請求項１記載のものにおいて、墓誌板は前記台部から取り外し可能とされていることを特徴とするものである。
【０００７】
請求項３の発明は、請求項１または請求項２に記載のものにおいて、墓誌板は複数に分割可能とされて前記台部から個別に取り外し可能とされていることを特徴とするものである。
【０００８】
請求項４の発明は、請求項１ないし請求項３のいずれかに記載のものにおいて、前記台部には、前記収容室へ骨壺を収容するための収容開口が形成されており、前記墓誌板は前記収容開口の前面側に配設されることを特徴とするものである。
【０００９】
請求項５の発明は、請求項４記載のものにおいて、前記台部のうち前記収容開口を挟んだ上下側には前方へ張り出す支持壁が形成されており、該支持壁の少なくともいずれか一方には、前記墓誌板の上縁あるいは／および下縁を前記台部から解離可能に係止させて倒れ規制を行うための引っ掛け部が形成されていることを特徴とするものである。
【発明の効果】
【００１０】
上記請求項１の発明によれば、墓石の既存の構造部を利用して墓誌板としたたため、従来のような墓誌の専用スペースを必要としない分、設置効率に優れる。
【００１１】
また、請求項２の発明によれば、墓誌板を取り外すことができるため、故人の情報を刻銘する作業を行う場合に、作業を簡易化させることができる。
【００１２】
請求項３の発明によれば、墓誌板が複数に分割されているため、個々が軽量化され、取り扱い性に優れる。
【００１３】
請求項４の発明のように、墓誌板を収容開口の前面に配設するようにすれば、墓誌板に収容開口を塞ぐための扉の役割を兼ねさせることもできる。
【００１４】
さらに請求項５の発明によれば、墓誌板は、墓石に配設されている状態ではその上縁あるいは／および下縁が支持壁に形成された引っ掛け部により係止されているため、前方に倒れることが防止される。
【発明を実施するための最良の形態】
【００１５】
＜第１実施形態＞
上記発明を具体化した第１実施形態を図１ないし図５によって説明する。
【００１６】
図１は、本実施形態に係る墓石１０の全体構成を示す斜視図である。この墓石１０は、略直方体状の石材を複数段に積み重ねて構成された台部１１の最上面に、座布団形状のスリン台１２を介して、例えば「○□家」と刻銘するための竿石１３を設けた構成のものである。本実施形態において、台部１１は、内部に骨壺が収容可能な収容室Ｓを有する箱形のカロート１４と、このカロート１４の上面後方側に積み重ねられたカロート１４より小さい箱形の中台１５と、この中台１５の上面後方側に積み重ねられた中台１５より小さい箱形の上台１６との３段構成とされている。また、カロート１４の上面前方寄りには香炉台１７が設けられているとともに、香炉台１７を挟んだ両側には、一対の花立て１８，１８が設けられている。さらに、中台１５の上面前方寄りには、水鉢１９が設置されている。
【００１７】
上記構成は従来の墓石にも共通するものであるが、本実施形態の墓石１０においては、台部１１の一部に墓誌板２４を配設したところが従来と相違する。具体的には、図１に示すように、カロート１４の正面側の壁面に重ね合わせるように、平板状で略矩形の墓誌板２４Ａ，２４Ｂ，２４Ｃが３枚並んで配設されている。
【００１８】
一方、カロート１４における上下の壁面の周縁部は、側壁からそれぞれ水平方向へ張り出すようにしてあり、上部支持壁２０および下部支持壁２１としてある。墓石１０の正面部において、上下の支持壁２０、２１の対向面には墓誌板２４の厚みより若干幅広に形成された溝部２５，２６が凹設されている。墓誌板２４は、次述する蓋板２２Ａの前方に配されるとともに、その上下端縁部を両溝部２５，２６へ差し込むことにより、前方への倒れ規制を可能にしている（図４参照）。また、これら溝部２５，２６は、後述するように、墓誌板２４を墓石１０から取り外したり取り付けたりすることが可能なように、その溝幅および溝深さの寸法が設定されている。さらに、各墓誌板２４の下端付近には、指を入れるための操作穴２６がそれぞれ２つずつ形成されている。
【００１９】
なお、カロート１４における正面の側壁の中央部にはカロート１４の内部（収容室Ｓ）に骨壺を収容するための収容開口２３が開設されている。この収容開口２３は、図２および図３の一部拡大斜視図に示すように、蓋板２２Ａによって閉じられている。詳細には、収容開口２３の奥部には互いに接近する方向に係止段差２２Ｂが高さ方向に沿って形成されている。一方、蓋板２２Ａは収容開口２３に適合して嵌め込み可能に形成され、係止段差２２Ｂに突き当てられる突き当て縁２２Ｃが形成されている。そして、収容開口２３に蓋板２２Ａが嵌め合わされた状態では、上面及び正面が周囲とほぼ面一となるように設定されている。
【００２０】
さて、上述した本実施形態の墓石１０において、墓誌板２４に戒名等を刻銘する場合には、３枚の墓誌板２４のうち刻銘したい墓誌板２４の操作穴２６に指を入れ、少し上方に持ち上げて下端縁を下部支持壁２１の溝部２６内から引き上げるとともに、斜め手前下方に向けて引き抜くことにより、墓誌板２４を墓石１０から取り外す（図５参照）。そして墓誌板２４に刻銘を行った後は、同様に操作穴２６に指を入れ、墓誌板２４の上端縁を上部支持壁２０の溝部２５内へ嵌め込むとともに、上方へ持ち上げながら下端縁を下部支持壁２１の溝部２６内へ嵌め込むことにより、もとの位置に戻すことができる。これにより、墓誌板２４の前方側に対する倒れ規制がなされる。
【００２１】
また、骨壺を納骨したい場合には、３枚の墓誌板２４Ａ，２４Ｂ，２４Ｃのうち中央に配された墓誌板２４Ｂを上記と同様の操作で取り除くとともに、カロート１４側の蓋板２２Ａを手前に引き出して収容開口２３を開放させることにより、収容開口２３を通して納骨を行うことができる（図３参照）。
【００２２】
このように、本実施形態の墓石によれば、カロート１４という既存の構造部の側面を利用して墓誌板を配設する構成であるから、墓誌を墓石と別個にわざわざ設ける必要がない。また、墓誌板は必要な部分だけを簡単にかつ個別に取り外すことができるので、取付け・取り外しの作業も容易となる。
【００２３】
＜第２実施形態＞
本発明の第２実施形態の墓石を、図６および図７を参照して説明する。第１実施形態では、収容開口を蓋板で閉止するとともに、墓誌板を蓋板の前方に重ねて配置するようにしたが、第２実施形態では蓋板を墓誌板２４Ｂが兼ねる構成としたものである。具体的には、本実施形態における収容開口３０はカロートの正面側壁の一部に開設し（上面に至るまで開口させてもよい）、ここを中央に配される墓誌板２４Ｂによって閉止可能としたものである。
【００２４】
このように構成したものでは、墓誌板が収容開口の蓋板をも兼用するため、構成部品の点数を減らすことができるとともに、骨壺の収容作業も容易となる利点がある。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２６】
（１）上記実施形態では、墓誌板をカロートの前面壁に配設する構成としたが、これに限らず、側面壁や後面壁に配設する構成としてもよい。また、カロート以外の台部に設ける構成としてもよい。さらには、墓誌板は取り外しが不能なものであってもよい。
【００２７】
（２）また、例えばカロートと同じ横幅を有する中台や上台が設けられている場合には、墓石の台部１１の側壁面全体にわたる墓誌板を配設することができる。そのようにすると、墓誌板の面積をより大きく設定することが可能となる。要するに、必ずしも墓誌板は分割されたものである必要はない。
【００２８】
（３）また、上記実施形態では、複数の墓誌板を横に並べる構成としたが、例えば上記（２）のように縦長の墓誌板を配設するような場合には、縦に並べる構成としてもよい。さらに、縦横複数に並べる構成としてもよいことはもちろんである。
【００２９】
（４）上記実施形態では、上部支持壁および下部支持壁に溝部を設けることにより引っ掛け部を形成したが、これに限らず、例えば、Ｌ字状の係止部を設ける等、他の構成としてもよい。また操作部も、操作穴に限らず、例えばコ字形状の握り部等を設ける構成としてもよい。
【００３０】
（５）墓石の構成は上記実施形態に限らず、例えば台部が３段以外の構成のものに適用させたり、スリン台がないものに適用させることもできる。
【図面の簡単な説明】
【００３１】
【図１】本発明の第１実施形態にかかる墓石の全体斜視図
【図２】同じくカロートの一部拡大斜視図
【図３】同じくカロートの一部拡大分解斜視図
【図４】同じくカロートの前面部の一部拡大断面図
【図５】同じくカロートの前面部の一部拡大断面図
【図６】本発明の第２実施形態の墓石のカロートの一部拡大分解斜視図
【図７】同じくカロートの一部拡大斜視図
【符号の説明】
【００３２】
１０…墓石
１１…台部
１２…スリン台
１３…竿石
１４…カロート
１５…中台
１６…上台
２０…上部支持壁
２１…下部支持壁
２２…切り込み
２３，３０…収容開口
２４…墓誌板
２５，２６…溝部
２７…操作穴
【図１】
2006022507.tif 000003
【図２】
2006022507.tif 000004
【図３】
2006022507.tif 000005
【図４】
2006022507.tif 000006
【図５】
2006022507.tif 000007
【図６】
2006022507.tif 000008
【図７】
2006022507.tif 000009